(57)【要約】【課題】ハンドセット１０８のスピーカ１０８ｂ又は装置本体１のスピーカ１０７のどちらか一方、並びに、ハンドセット１０８のスピーカ１０８ｂ及び装置本体１のスピーカ１０７の両方からガイダンス音声を出力することができる通信端末装置を提供する。【解決手段】  ガイダンス音声の出力機能を備えた通信端末装置であって、本体スピーカ１０７と、ハンドセット１０８と、本体スピーカ１０７又はハンドセット１０８のスピーカ１０８ｂの何れか一方からのガイダンス音声の出力、本体スピーカ１０７及びハンドセット１０８のスピーカ１０８ｂの両方からのガイダンス音声の出力を制御する制御手段と、を備える【選択図】図１
2008219703.tif 000002
【特許請求の範囲】
【請求項１】
ガイダンス音声の出力機能を備えた通信端末装置であって、
本体スピーカと、
ハンドセットと、
前記本体スピーカ又は前記ハンドセットのスピーカの何れか一方からのガイダンス音声の出力、前記本体スピーカ及び前記ハンドセットのスピーカの両方からのガイダンス音声の出力を制御する制御手段と、を備えることを特徴とする通信端末装置。
【請求項２】
ネットワークと回線を接続して通信を行う通信手段と、
前記本体スピーカからのガイダンス音声の出力のオン又はオフの切り替え指示の入力を受けるける第１受付手段と、
前記ハンドセットのスピーカからのガイダンス音声の出力のオン又はオフの切り替え指示の入力を受け付ける第２受付手段と、
前記第１受付手段が受け付けた入力に応じて設定されるガイダンス音声の出力のオン又はオフを示す第１設定情報と前記第２受付手段が受け付けた入力に応じて設定されるガイダンス音声の出力のオン又はオフを示す第２設定情報とを記憶する記憶手段と、を備え、
前記制御手段は、前記記憶手段に記憶されている第１設定情報に基づいて前記本体スピーカからのガイダンス音声の出力を制御し、前記記憶手段に記憶されている第２設定情報及び前記ハンドセットのフックのオン／オフに基づいて前記ハンドセットのスピーカからのガイダンス音声の出力、及び、前記通信手段によるネットワークの回線の接続を制御することを特徴とする請求項１に記載の通信端末装置。
【請求項３】
前記記憶手段に記憶されている第２設定情報がガイダンス音声の出力のオンを示している場合に、
前記制御手段は、
前記回線が接続されていない状態で前記ハンドセットがオフフックされた際に、前記回線を接続せずにガイダンス音声の出力を開始し、前記回線が接続されている状態で前記ハンドセットがオンフックされた際に、前記回線を切断せずにガイダンス音声の出力を停止することを特徴とする請求項２に記載の通信端末装置。
【請求項４】
前記記憶手段に記憶されている第２設定情報がガイダンス音声の出力のオンを示している場合に、
前記制御手段は、前記ハンドセットがオンフックされた際に、前記記憶手段に記憶されている第２設定情報をガイダンス音声の出力のオフを示す情報に変更することを特徴とする請求項２又は３に記載の通信端末装置。
【請求項５】
前記制御手段は、
前記ハンドセットがオフフックされており、かつ、前記回線が接続されていない状態において、前記第２受付手段による切り替え指示の入力の受け付けにより前記記憶手段に記憶されている第２設定情報がガイダンス音声の出力のオンを示す情報からオフを示す情報に切り替えられた場合に前記回線の接続をおこなうことを特徴とする請求項２乃至４のいずれか１に記載の通信端末装置。
【請求項６】
前記制御手段は、
前記ハンドセットがオフフックされており、かつ、前記回線が接続されている状態において、前記第２受付手段による切り替え指示の入力の受け付けにより前記記憶手段に記憶されている第２設定情報がガイダンス音声の出力のオフを示す情報からオンを示す情報に切り替えられた場合に前記回線の切断を行わないことを特徴とする請求項２乃至５のいずれか１に記載の通信端末装置。
【発明の詳細な説明】
【技術分野】
【０００１】
本発明は、通信端末装置に関し、詳しくは、ガイダンス音声の出力機能を備え、ネットワークを利用した通信を行う通信端末装置に関するものである。
【背景技術】
【０００２】
従来、ファクシミリ複合機などの通信端末装置において、装置の状態の報知や操作の案内を音声でおこなうガイダンス音声の出力機能を備えたものが発明され製品化されている。そして、このような通信端末装置の中には、特許文献１に記載されているように、ガイダンス音声を、装置本体のスピーカ、又は、装置が備えるハンドセットのスピーカのどちらか一方から出力するものが存在する。
【０００３】
装置本体のスピーカからのみガイダンス音声を出力する場合には、例えば、操作者以外の周囲の第三者もファクシミリ装置の操作や通信先を確認し、把握することができるという利点がある。一方、ハンドセットのスピーカのみからガイダンス音声を出力する場合には、例えば、ファクシミリ送信を行う相手先のファックス番号をガイダンス音声で読み上げる際などにおいて、ファックス番号を周囲の第三者に知られることを防止して機密性を保持することができ、また、周囲が喧騒な場合や操作者が難聴などである場合でもガイダンス音声を鮮明に聞き取ることができるという利点がある。
【特許文献１】特開２００６−２４６１８４号公報
【発明の開示】
【発明が解決しようとする課題】
【０００４】
しかし、特許文献１に記載されている従来の通信端末装置では、装置本体のスピーカ、又は、ガイダンス音声をハンドセットのスピーカのどちらか一方から出力することしかできなかった。そのため、従来の通信端末装置では、装置本体のスピーカとハンドセットのスピーカとの両方から同時にガイダンス音声を出力することができないので、装置本体のスピーカからガイダンス音声を出力するときにはハンドセットのスピーカからガイダンス音声を出力することができないし、ハンドセットのスピーカからガイダンス音声を出力するときには、装置本体のスピーカから出力されるガイダンス音声により周囲の第三者が操作者の操作や通信先を確認したり、把握したりすることができないという問題があった。
【０００５】
そこで、本発明は、装置本体のスピーカ又はハンドセットのスピーカのどちらか一方、並びに、装置本体のスピーカ及びハンドセットのスピーカの両方からガイダンス音声を出力することができる通信端末装置を提供することを目的とする。
【課題を解決するための手段】
【０００６】
上記目的を達成するために、請求項１に記載の通信端末装置は、ガイダンス音声の出力機能を備えた通信端末装置であって、本体スピーカと、ハンドセットと、前記本体スピーカ又は前記ハンドセットのスピーカの何れか一方からのガイダンス音声の出力、前記本体スピーカ及び前記ハンドセットのスピーカの両方からのガイダンス音声の出力を制御する制御手段と、を備えることを特徴としている。
【０００７】
この構成によれば、ガイダンス音声の出力機能を備えた通信端末装置であって、本体スピーカと、ハンドセットと、本体スピーカ又はハンドセットのスピーカの何れか一方からのガイダンス音声の出力、本体スピーカ及びハンドセットのスピーカの両方からのガイダンス音声の出力を制御する制御手段とを備えている。
【０００８】
したがって、本体スピーカのみからガイダンス音声を出力できるので、例えば、通信端末装置がファクシミリ装置である場合には、操作者だけでなく周囲の第三者が、ファクシミリ装置の操作や通信先を確認し、把握することができる。また、ハンドセットのスピーカのみからガイダンス音声を出力できるので、例えば、ファクシミリ送信を行う相手先のファックス番号をガイダンス音声で読み上げる際などにおいて、ファックス番号を周囲の第三者に知られることを防止して機密性を保持することができ、また、周囲が喧騒な場合や操作者が難聴などである場合でもガイダンス音声を鮮明に聞き取ることができる。さらに、本体スピーカとハンドセットのスピーカとの両方からガイダンス音声を同時に出力できるので、ハンドセットのスピーカからガイダンス音声を出力させて操作者がガイダンス音声を鮮明に聴くことができるようにする場合においても、周囲の第三者が操作者の操作や通信先を確認したり、把握したりすることができる。
【０００９】
請求項２に記載の通信端末装置は、請求項１に記載の通信端末装置であって、ネットワークと回線を接続して通信を行う通信手段と、前記本体スピーカからのガイダンス音声の出力のオン又はオフの切り替え指示の入力を受けるける第１受付手段と、前記ハンドセットのスピーカからのガイダンス音声の出力のオン又はオフの切り替え指示の入力を受け付ける第２受付手段と、前記第１受付手段が受け付けた入力に応じて設定されるガイダンス音声の出力のオン又はオフを示す第１設定情報と前記第２受付手段が受け付けた入力に応じて設定されるガイダンス音声の出力のオン又はオフを示す第２設定情報とを記憶する記憶手段と、を備え、前記制御手段は、前記記憶手段に記憶されている第１設定情報に基づいて前記本体スピーカからのガイダンス音声の出力を制御し、前記記憶手段に記憶されている第２設定情報及び前記ハンドセットのフックのオン／オフに基づいて前記ハンドセットのスピーカからのガイダンス音声の出力、及び、前記通信手段によるネットワークとの回線の接続を制御することを特徴としている。
【００１０】
この構成によれば、通信手段により、ネットワークと回線が接続されて通信が行われ、第１受付手段により、本体スピーカからのガイダンス音声の出力のオン又はオフの切り替え指示の入力が受け付けられ、第２受付手段により、ハンドセットのスピーカからのガイダンス音声の出力のオン又はオフの切り替え指示の入力が受け付けられる。また、記憶手段により、第１受付手段が受け付けた入力に応じて設定されるガイダンス音声の出力のオン又はオフを示す第１設定情報と第２受付手段が受け付けた入力に応じて設定されるガイダンス音声の出力のオン又はオフを示す第２設定情報とが記憶される。そして、制御手段により、記憶手段に記憶されている第１設定情報に基づいて本体スピーカからのガイダンス音声の出力が制御され、記憶手段に記憶されている第２設定情報及びハンドセットのフックのオン／オフに基づいてハンドセットのスピーカからのガイダンス音声の出力、及び、通信手段によるネットワークとの回線の接続が制御される。ここで、「ネットワーク」とは、例えば、公衆交換電話網などである。
【００１１】
したがって、通信端末装置に設けられたボタンなどの操作に応じて、第１受付手段及び第２受付手段がガイダンス音声の出力のオン又はオフの切り替えの指示の入力を受け付けるようにすれば、ユーザが通信端末の使用の状況や目的に応じて、ガイダンス音声の本体スピーカからの出力及びハンドセットのスピーカからの出力を自由に設定することができる。
【００１２】
請求項３に記載の通信端末装置は、請求項２に記載の通信端末装置であって、前記記憶手段に記憶されている第２設定情報がガイダンス音声の出力のオンを示している場合に、前記制御手段は、前記回線が接続されていない状態で前記ハンドセットがオフフックされた際に、前記回線を接続せずにガイダンス音声の出力を開始し、前記回線が接続されている状態で前記ハンドセットがオンフックされた際に、前記回線を切断せずにガイダンス音声の出力を停止することを特徴としている。
【００１３】
この構成によれば、記憶手段に記憶されている第２設定情報がガイダンス音声の出力のオンを示している場合には、制御手段により、ネットワークとの回線が接続されていない状態でハンドセットがオフフックされた際に、ネットワークとの回線を接続せずにガイダンス音声の出力が開始され、ネットワークとの回線が接続されている状態でハンドセットがオンフックされた際に、ネットワークとの回線を切断せずにガイダンス音声の出力が停止される。
【００１４】
したがって、ガイダンス音声を聞くためにハンドセットをオフフックした際に、不用意に回線が接続されたり、ガイダンス音声を終了させるためにハンドセットをオンフックした場合に、不用意に回線が切断されたりすることを防止することができる。
【００１５】
請求項４に記載の通信端末装置は、請求項２又は３に記載の通信端末装置であって、前記記憶手段に記憶されている第２設定情報がガイダンス音声の出力のオンを示している場合に、前記制御手段は、前記ハンドセットがオンフックされた際に、前記記憶手段に記憶されている第２設定情報をガイダンス音声の出力のオフを示す情報に変更することを特徴としている。
【００１６】
この構成によれば、記憶手段に記憶されている第２設定情報がガイダンス音声の出力のオンを示している場合に、制御手段により、ハンドセットがオンフックされた際に、記憶手段に記憶されている第２設定情報がガイダンス音声の出力のオフを示す情報に変更される。したがって、ユーザは、第２受付手段によりハンドセットのスピーカからのガイダンス音声の出力のオン又はオフを切り替える指示の入力が受け付けられるボタン操作などをすることなく、ハンドセットのオンフックによりハンドセットのスピーカからのガイダンス音声の出力を停止することができるので使い勝手がよい。
【００１７】
請求項５に記載の通信端末装置は、請求項２乃至４のいずれか１に記載の通信端末装置であって、前記制御手段は、前記ハンドセットがオフフックされ、かつ、前記回線が接続されていない状態において、前記第２受付手段による切り替え指示の入力の受け付けにより前記記憶手段に記憶されている第２設定情報がガイダンス音声の出力のオンを示す情報からオフを示す情報に切り替えられた場合に前記回線の接続を行うことを特徴としている。
【００１８】
この構成によれば、制御手段により、ハンドセットがオフフックされており、かつ、回線が接続されていない状態において、第２受付手段による切り替え指示の入力の受け付けにより記憶手段に記憶されている第２設定情報がガイダンス音声の出力のオンを示す情報からオフを示す情報に切り替えられた場合に回線の接続が行われる。
【００１９】
したがって、ハンドセットがオフフックされており、かつ、ネットワークと回線が接続されていない状態において、ユーザによる入力操作を第２受付手段が受け付けてハンドセットのスピーカからのガイダンス音声の出力が停止されると、ネットワークと回線が接続されるので、ユーザは、電話番号やファクシミリ番号を入力するなどすれば、そのまま通信を行うことができる。
【００２０】
請求項６に記載の通信端末装置は、請求項２乃至５のいずれか１に記載の通信端末装置であって、前記制御手段は、前記ハンドセットがオフフックされ、かつ、前記回線が接続されている状態において、前記第２受付手段による切り替え指示の入力の受け付けにより前記記憶手段に記憶されている第２設定情報がガイダンス音声の出力のオフを示す情報からオンを示す情報に切り替えられた場合に前記回線の切断を行わないことを特徴としている。
【００２１】
この構成によれば、制御手段により、ハンドセットがオフフックされており、かつ、回線が接続されている状態において、第２受付手段による切り替え指示の入力の受け付けにより記憶手段に記憶されている第２設定情報がガイダンス音声の出力のオフを示す情報からオンを示す情報に切り替えられた場合に前記回線の切断が行われない。
【００２２】
したがって、ハンドセットがオフフックされており、かつ、ネットワークと回線が接続されている状態において、ユーザによる入力操作を第２受付手段が受け付けてハンドセットのスピーカからのガイダンス音声の出力が開始されても、ネットワークとの回線が切断されず維持されるので、ユーザは、電話番号やファクシミリ番号を入力するなどすれば、そのまま通信を行うことができるし、既に通信を行っていればそれを継続することができる。
【発明を実施するための最良の形態】
【００２３】
以下、図面を参照しつつ、本発明に係る通信端末装置の一例としてのインターネットファクシミリ装置１について説明する。インターネットファクシミリ装置１は、ファクシミリ機能、インターネットファクシミリ機能、電子メール機能、スキャン機能、コピー機能、プリント機能、通話機能などを備えた、いわゆるファクシミリ複合機と呼ばれるものである。インターネットファクシミリ装置１は、オフィスなどに設置され、公衆交換電話網（ＰＳＴＮ：Public Switched Telephone Networks）及びＬＡＮ（Local Area Network）に接続される。
【００２４】
図１は、インターネットファクシミリ装置１の構成例を示したブロック図である。このインターネットファクシミリ装置１は、図１に示すように、ＣＰＵ（Central Processing Unit）１０１、ＲＯＭ（Read Only Memory）１０２、ＲＡＭ（Random Access Memory）１０３、ＨＤＤ（Hard Disk Drive）１０４、操作部１０５、表示部１０６、スピーカ１０７、ハンドセット１０８、原稿読取部１０９、画像処理部１１０、コーデック（ＣＯＤＥＣ：Coder and Decoder）１１１、画像メモリ１１２、プリンタ１１３、ＦＡＸ通信部１１４、及び、ＬＡＮ−Ｉ／Ｆ（Local Area Network Interface）１１５を備えており、各部１０１乃至１１５は、バス（bus）１１６によって通信可能に接続されている。
【００２５】
ＣＰＵ１０１は、ＲＯＭ１０２に格納されている制御プログラムに従って、インターネットファクシミリ装置１の各部の動作を制御する。ＲＯＭ１０２は、ＣＰＵ１０１によりこのインターネットファクシミリ装置１の各部の動作を制御するための前記制御プログラムなどを格納する。ＲＡＭ１０３は、インターネットファクシミリ装置１の動作に用いる設定情報などの各種データなどを、読み出し及び書き込みが可能な状態で記憶するものであり、ＣＰＵ１０１のワークエリアとしても機能する。ＨＤＤ１０４は、ファクシミリ機能で送受信した画像データの蓄積などを行うためのものである。
【００２６】
操作部１０５は、図示しないが、原稿の読み取り動作の開始を指示するためのスタートキー、ファクシミリ番号、コピー部数などを入力するためのテンキー、文字の入力を行うための文字入力キー、操作対象を指定するためのカーソルキーなどを備えている。表示部１０６は、各種の設定状態や自装置１の動作状態などを文字や図形などで表示するタッチパネル式の液晶表示装置（ＬＣＤ：Liquid Crystal Display）（オペレーションパネル）や、点灯又は消灯で表示するＬＥＤ（Light Emitting Diode）ランプなどを備えている。操作部１０５が備える各キーの操作や表示部１０６が備える液晶表示装置のパネルへのタッチに応じて液晶表示装置の表示が変化し、この液晶表示装置の表示に対応した操作部１０５の各キーへの操作や液晶表示装置のパネルへのタッチにより各種の入力を行うことができる。
【００２７】
また、スピーカ１０７は、図２に示すように、インターネットファクシミリ装置１の装置本体の側面などに設けられ、インターネットファクシミリ装置１に対する操作の確認音やガイダンス音声を出力するためのものである。このスピーカ１０７から出力される確認音やガイダンス音声は、自装置１の周囲の人間にも聞こえるように設計されている。ハンドセット１０８は、ＰＳＴＮを利用した通話に使用するものであり、図２及び図３に示すように、マイク１０８ａ、スピーカ１０８ｂ、フックボタン１０８ｃ、及び、スピーカ１０８ｂからのガイダンス音声の出力のオンとオフとの切り替えの指示を入力するための切替ボタン１０８ｄを備えている。このハンドセット１０８は、インターネットファクシミリ装置１の所定の場所に着脱可能となっており、装着されること（オンフック）によってフックボタン１０８ｃがオン状態となり、取り外されること（オフフック）によってフックボタン１０８ｃがオフ状態となる。ハンドセット１０８のスピーカ１０８ｂから出力される音声やガイダンス音声は、ハンドセット１０８の使用者にのみ聞こえ、インターネットファクシミリ装置１の周囲の人間には聞こえないように設計されている。
【００２８】
原稿読取部１０９は、原稿の画像を読み取って画像データを生成するものであり、図示しないが、例えば、透明な原稿載置板に載置された原稿を読み取るフラット・ベッド・スキャナ（ＦＢＳ：Flat Bed Scanner）や、原稿トレイに載置された原稿を読み取るべく、その原稿を搬送する自動原稿給送装置（ＡＤＦ：Automatic Document Feeder）を備えている。
【００２９】
画像処理部１１０は、原稿読取部１０９から出力された画像データに対して、色調整、色空間変換、２値化等の処理を行うものである。コーデック１１１は、画像処理部１１０等によって処理された画像データを符号化（エンコード）し、また、符号化された画像データを復号（デコード）するものである。コーデック１１１に入力された画像データは、ＪＰＥＧ、ＭＨ、ＭＲ、ＭＭＲ、ＪＢＩＧ方式等に基づいて符号化され、画像メモリ１１２に記憶される。
【００３０】
プリンタ１１３は、画像メモリ１１２から読み出され、コーデック１１１によって復号された画像データを印刷出力するものである。
【００３１】
ＦＡＸ通信部１１４は、原稿の画像データをファクシミリ（ＦＡＸ）通信するものであり、図示しないが、モデム（ＭＯＤＥＭ：MOdulator-DEModulator）及びＮＣＵ（Network Control Unit）を備えている。モデムは、例えばＩＴＵ−Ｔ（国際電気通信連合電気通信標準化部門）の勧告Ｖ．３４規格又はこれと同様のものに従った送受信データの変調及び復調を行うものである。ＮＣＵは、電話回線を制御して電話をかけたり、切ったりする回線網制御装置でありＰＳＴＮに接続される。ＰＳＴＮには、インターネットファクシミリ装置１の他にＧ３ファクシミリ装置などが通信可能に接続され、インターネットファクシミリ装置１は、Ｇ３ファクシミリ装置などとの間で画像データをファクシミリ通信により送信又は受信することが可能である。
【００３２】
ＬＡＮ−Ｉ／Ｆ１１５は、インターネットファクシミリ装置１をＬＡＮに接続可能にするものである。ＬＡＮには、クライアントＰＣなども接続され、インターネットファクシミリ装置１は、クライアントＰＣなどとの間でデータの通信が可能である。また、インターネットファクシミリ装置１は、ＬＡＮ及びルータを介して、インターネット上に設けられたその他のインターネットファクシミリ装置などと接続され、その他のインターネットファクシミリ装置などとの間でインターネットファクシミリ通信を行うことができる。ここで、インターネットファクシミリ通信とは、例えば、ＴＩＦＦ（Tagged Image File Format）−Ｓ形式のファイル（画像データ）を添付した電子メールをＳＭＴＰ（Simple Mail Transfer Protocol）で送受信する通信である。
【００３３】
このようなインターネットファクシミリ装置１は、ガイダンス音声を出力する機能を備えている。ガイダンス音声は、ユーザによる操作に応じて、装置１本体のスピーカ１０７又はハンドセット１０８のスピーカ１０８ｂのいずれか一方から出力することができ、また、スピーカ１０７とスピーカ１０８ｂの両方から同時に出力することもできる。
【００３４】
装置本体のスピーカ１０７からガイダンス音声を出力するか否かの切り替えは、表示部１０６の液晶表示装置に表示される切替ボタン１０６ａを、タッチパネルを介してタップすることによって行うことができる。ＲＡＭ１０３には、装置本体のスピーカ１０７からガイダンス音声を出力するか否かを示すフラグＦ１（第１設定情報）が記録されている。フラグＦ１は初期状態ではオフとなっており、表示部１０６に表示された切替ボタン１０６ａがタップされると、ＣＰＵ１０１が、ガイダンス音声の出力の切り替え指示の入力を受け付け、ＲＡＭ１０３に記録されているフラグＦ１をオフからオンに書き換える。逆に、フラグＦ１がオンの状態のときに、切替ボタン１０６ａがタップされると、ＣＰＵ１０１は、フラグＦ１をオンからオフに書き換える。したがって、図４の状態遷移図に示すように、スピーカ１０７からのガイダンス音声の出力がオフである初期状態（状態Ｘ）で切替ボタン１０６ａがタップされると、スピーカ１０７からのガイダンス音声の出力がオン（状態Ｙ）になり、ガイダンス音声の出力がオンである状態（状態Ｙ）で切替ボタン１０６ａがタップされると、ガイダンス音声の出力がオフ（状態Ｘ）になる。なお、スピーカ１０７からガイダンス音声を出力するか否かは、ハンドセット１０８のフックボタン１０８ｃの状態やＰＳＴＮとの回線の接続状態には依存しない。したがって、フラグＦ１がオンの状態である場合に、ガイダンス音声を出力するに適した局面が到来すると、必ずスピーカ１０７からガイダンス音声が出力される。例えば、切替ボタン１０６ａをタップした直後には、「音声案内を開始します。」というガイダンス音声を出力する。また、インターネットファクシミリ装置１がファクシミリモードになっている場合に、原稿読取部１０９の原稿載置板に原稿が配置されたことを感知すると、「ファクシミリ送信ができます。」というガイダンス音声を出力する。さらに、操作部１０５のテンキーを操作して原稿をファクシミリ送信する宛先のファクシミリ番号を入力すると、入力された番号をテンキーが操作される毎に読み上げる。
【００３５】
一方、ハンドセット１０８のスピーカ１０８ｂからガイダンス音声を出力するか否かの切り替えは、ハンドセット１０８に設けられた切替ボタン１０８ｄを操作することによって行うことができる。ＲＡＭ１０３には、ハンドセット１０８のスピーカ１０８ｂからガイダンス音声を出力するか否かを示すフラグＦ２（第２設定情報）が記録されている。フラグＦ２は初期状態ではオフとなっており、切替ボタン１０８ｄが操作されると、ＣＰＵ１０１が、ガイダンス音声の出力の切り替え指示の入力を受け付け、ＲＡＭ１０３に記録されているフラグＦ２をオフからオンに書き換える。逆に、フラグＦ２がオンの状態のときに、切替ボタン１０８ｄが操作されると、ＣＰＵ１０１は、フラグＦ２をオンからオフに書き換える。ＣＰＵ１０１は、ハンドセット１０８のスピーカ１０８ｂからガイダンス音声を出力するか否かを、ＲＡＭ１０３に記録されているフラグＦ２とハンドセット１０８のフックボタン１０８ｃのオン／オフの状態に基づいて制御する。また、ＣＰＵ１０１は、フラグＦ２やハンドセット１０８のフックボタン１０８ｃのオン／オフの状態に基づいて、ＰＳＴＮとの回線の接続の制御も行う。
【００３６】
以下、図５に示す状態遷移図に基づいて、ＣＰＵ１０１によるハンドセット１０８のスピーカ１０８ｂからのガイダンス音声の出力及び回線の接続の制御について説明する。なお、図５において、「ＨＳガイダンス」は「ハンドセットガイダンス」を意味しており、「ＨＳガイダンスＯＦＦ」はフラグＦ２がオフであることを意味し、「ＨＳガイダンスＯＮ」はフラグＦ２がオンであることを意味している。まず、初期状態は状態Ａであり、ハンドセット１０８のスピーカ１０８ｂからのガイダンス音声の出力はオフ（ＨＳガイダンスＯＦＦ，フラグＦ２：オフ）で、ＰＳＴＮとの回線は切断されており、ハンドセット１０８のフックボタン１０８ｃはオンの状態（オンフック）である。この状態Ａにおいて、オフフックされてフックボタン１０８ｃがオフになると、ＰＳＴＮと回線を接続して状態Ｂに遷移する（Ｐ１）。ここで、ＰＳＴＮと回線が接続された状態とは、「プー」音がスピーカ１０８ｂから発信される状態である。このＰＳＴＮとの回線が接続された状態からは、通話（電話）やファクシミリ通信が可能である。
【００３７】
状態Ｂにおいて、ハンドセット１０８の切替ボタン１０８ｄが操作されると、ＰＳＴＮとの回線を切断せず、回線の接続を維持したまま、状態Ｃに遷移する（Ｐ２）。ＰＳＴＮとの回線を維持したまま状態Ｃに遷移するので、ユーザは、電話番号やファクシミリ番号を入力すれば、そのまま通信を開始することができて便利である。また、既に通信を行っている場合には通信が維持されるので切替ボタン１０８ｄの操作が通信の支障となることもない。状態Ｃでは、フラグＦ２がオン（ＨＳガイダンスＯＮ）となるので、状態Ｃに遷移すると、はじめに、スピーカ１０８ｂから、例えば、「音声案内を開始します。」というガイダンス音声が出力され、ガイダンス音声の出力が開始される。このように、初期状態Ａにおいて、ユーザが、ハンドセット１０８を持ち上げてオフフックにしてから、切替ボタン１０８ｄを操作すると、状態Ａ、状態Ｂ、状態Ｃと遷移して、ＰＳＴＮと回線が接続された状態で、スピーカ１０８ｂからのガイダンス音声の出力が開始される。このとき、ファクシミリ通信を行っていればファクシミリ通信を行いながらガイダンス音声が出力され、通話（電話）を行っていれば通話を行いながらガイダンス音声が出力される。このときのガイダンス音声は通話相手には聞こえない。また、状態Ｃにおいて、切替ボタン１０８ｄが操作されると状態Ｂに遷移し（Ｐ３）、フラグＦ２がオフ（ＨＳガイダンスＯＦＦ）となって、スピーカ１０８ｂからのガイダンス音声の出力が停止される。
【００３８】
一方、状態Ａにおいて、切替ボタン１０８ｄが操作されると、状態Ｄに遷移する（Ｐ４）。状態Ｄでは、フラグＦ２がオン（ＨＳガイダンスＯＮ）となるが、ハンドセット１０８のフックボタン１０８ｃがオン（オンフック）の状態であるので、ハンドセット１０８のスピーカ１０８ｂからのガイダンス音声の出力を行わず、ガイダンス音声の出力待ちの状態となる。そして、状態Ｄにおいて、ハンドセット１０８がオフフックされてフックボタン１０８ｃがオフになると、状態Ｅに遷移する（Ｐ５）。このとき、ＰＳＴＮとの回線の接続は行わず、これに替えて、スピーカ１０８ｂからのガイダンス音声の出力を開始する。ハンドセット１０８をオフフックして状態Ｅに遷移する際にはＰＳＴＮとの回線の接続を行わないので、ガイダンス音声を聴くためにハンドセット１０８をオフフックした際に不用意に回線が接続されることを防止できる。このように、初期状態Ａにおいて、ユーザが、切替ボタン１０８ｄを操作した後にハンドセット１０８を持ち上げてオフフックにすると、状態Ａ、状態Ｄ、状態Ｅと遷移して、ＰＳＴＮと回線が切断された状態で、スピーカ１０８ｂからのガイダンス音声の出力が開始される。なお、状態Ｄにおいて、切替ボタン１０８ｄが操作されると、状態Ａに遷移して（Ｐ６）、フラグＦ２がオフ（ＨＳガイダンスＯＦＦ）となって初期状態に戻る。
【００３９】
状態Ｅにおいて、切替ボタン１０８ｄが操作されると、状態Ｂに遷移する（Ｐ７）。状態Ｅはオフフックの状態であるので、切替ボタン１０８ｄが操作された場合には、状態Ｂになる際に、ＰＳＴＮによる通話などに備えてＰＳＴＮと回線を接続する。このように、切替ボタン１０８ｄが操作されてガイダンス音声の出力が停止されると、ＰＳＴＮとの回線が接続されるので、ユーザは、電話番号やファクシミリ番号を入力すれば、そのまま通信を開始することができて便利である。また、状態Ｅにおいて、フックボタン１０８ｃがオンにされると状態Ａに遷移する（Ｐ８）。このときハンドセット１０８が元に戻されて（オンフック）フックボタン１０８ｃがオンにされると、スピーカ１０８ｂから出力されるガイダンス音声を聞くことが物理的に不可能になるので、フラグＦ２をオフにして（ＨＳガイダンスＯＦＦ）ガイダンス音声の出力を停止する。このように、オンフックされた場合には、切替ボタン１０８ｄの操作によらずにガイダンス音声の出力が停止されるので使い勝手がよい。さらに、状態Ｅにおいて、ユーザによるＰＳＴＮとの回線接続指示やファクシミリ通信又は通話を開始する操作が操作部１０５に対して行われると、前述の状態Ｃに遷移する（Ｐ９）。
【００４０】
状態Ｃにおいて、ＰＳＴＮと回線が接続されているがファクシミリ通信中でないときにフックボタン１０８ｃがオンにされると、ＰＳＴＮとの回線を切断するとともに、フラグＦ２をオフ（ＨＳガイダンスＯＦＦ）にしてガイダンス音声の出力を停止して状態Ａに遷移する（Ｐ１０）。このように、オンフックされた場合には、切替ボタン１０８ｄの操作によらずにガイダンス音声の出力が停止されるので使い勝手がよい。一方、状態Ｃにおいて、ファクシミリ通信中であるときにフックボタン１０８ｃがオンにされると、ＰＳＴＮとの回線を切断せず、ＰＳＴＮとの回線の接続を維持したままで、フラグＦ２をオフ（ＨＳガイダンスＯＦＦ）にしてガイダンス音声の出力を停止し、状態Ｆに遷移する（Ｐ１１）。このように、オンフックされた場合には、切替ボタン１０８ｄの操作によらずにガイダンス音声の出力が停止されるので使い勝手がよい。また、ハンドセット１０８をオンフックして状態Ｆに遷移する際にはＰＳＴＮとの回線の切断を行わないので、ガイダンス音声を終了してハンドセット１０８をオンフックした際に不用意に回線が切断されることを防止できる。
【００４１】
前述の状態Ｂにおいて、つまり、オフフックでＰＳＴＮとの回線が接続されフラグＦ２がオフ（ＨＳガイダンスＯＦＦ）の状態において、ファクシミリ通信中でないときに、フックボタン１０８ｃがオンにされると状態Ａに遷移し（Ｐ１２）、ＰＳＴＮとの回線を切断する。一方、状態Ｂにおいて、ファクシミリ通信中にフックボタン１０８ｃがオンにされると、状態Ｆに遷移する（Ｐ１３）。
【００４２】
状態Ｆでは、フックボタン１０８ｃがオフにされると状態Ｂに遷移し（Ｐ１４）、ユーザによる操作部１０５の操作によって回線切断の指示が行われたり、ファクシミリ通信が終了したりすると、ＰＳＴＮとの接続を切断し、状態Ａに遷移する（Ｐ１５）。また、状態Ｆにおいて、切替ボタン１０８ｄが操作されると、フラグＦ２をオン（ＨＳガイダンスＯＮ）にして状態Ｇに遷移する（Ｐ１６）。状態Ｇでは、フラグＦ２がオン（ＨＳガイダンスＯＮ）であるが、ハンドセット１０８がオンフックのままであり、スピーカ１０８ｂから出力されるガイダンス音声を聞くことが物理的に不可能であるので、ガイダンス音声の出力は開始せず、ガイダンス音声の出力待ちの状態となる。また、状態Ｇにおいて、切替ボタン１０８ｄが操作されると、フラグＦ２をオフ（ＨＳガイダンスＯＦＦ）にして状態Ｆに遷移する（Ｐ１７）。
【００４３】
さらに、初期状態である状態Ａから切替ボタン１０８ｄが操作されて遷移した（Ｐ４）状態Ｄは、ＰＳＴＮと回線を接続することなくガイダンス音声の出力を待っている状態であるが、この状態Ｄにおいて、ユーザによる操作部１０５の操作によって回線接続の指示が行われたり、ファクシミリ通信を開始する操作が行われたりすると、前述の状態Ｇに遷移する（Ｐ１８）。そして、状態Ｇにおいて、フックボタン１０８ｃがオフにされると、前述の状態Ｃに遷移して（Ｐ１９）、スピーカ１０８ｂからのガイダンス音声の出力が開始される。
【００４４】
このように、ＣＰＵ１０１は、切替ボタン１０８ｄの操作により切り替えられるフラグＦ２の状態とハンドセット１０８のフックボタン１０８ｃの状態とに基づいて、ハンドセット１０８のスピーカ１０８ｂからのガイダンス音声の出力を制御する。また、ＣＰＵ１０１は、切替ボタン１０６ａのタップによって切り替えられるフラグＦ１の状態に基づいて、装置１本体のスピーカ１０７からのガイダンス音声の出力を制御する。これらの制御に基づき、状態Ｙの場合には装置１本体のスピーカ１０７からガイダンス音声が出力され、状態Ｃ又は状態Ｅの場合にはハンドセット１０８のスピーカ１０８ｂからガイダンス音声が出力される。そして、状態Ｙ、かつ、状態Ｃ又は状態Ｅの場合には、スピーカ１０７とスピーカ１０８ｂとの両方からガイダンス音声が出力される。
【００４５】
以上に説明したように、本願発明のインターネットファクシミリ装置１によれば、装置１本体のスピーカ１０７又はハンドセット１０８のスピーカ１０８ｂのどちらか一方からのみではなく、装置本体のスピーカ１０７及びハンドセット１０８のスピーカ１０８ｂの両方からガイダンス音声を出力することもできるので、ユーザがハンドセット１０８のスピーカ１０８ｂからガイダンス音声を出力させながらインターネットファクシミリ装置１の操作をする場合においても、インターネットファクシミリ装置１本体のスピーカ１０７からもガイダンス音声を出力させて、周囲の第三者がインターネットファクシミリ装置１の操作について確認し、把握することができる。さらに、ハンドセット１０８のスピーカ１０８ｂのみからガイダンス音声を出力する場合には、例えば、ファクシミリ送信を行う相手先のファックス番号をガイダンス音声で読み上げる際などにおいて、ファックス番号を周囲の第三者に知られることを防止して機密性を保持することができ、また、ガイダンス音声を鮮明に聞き取ることができる。一方、装置１の本体のスピーカ１０７からのみガイダンス音声を出力する場合には、例えば、周囲の第三者がファクシミリ装置の操作や通信先を確認し、把握することができる。
【００４６】
なお、本発明の実施形態は上述の形態に限らず、発明の思想の範囲内で、種々に変更することができる。例えば、上述の実施形態では、ハンドセット１０８にフックボタン１０８ｃ及び切替ボタン１０８ｄを備える構成としたが、フックボタン１０８ｃ及び切替ボタン１０８ｄは、ハンドセット１０８ではなく、インターネットファクシミリ装置１の本体に備えるようにしてもよい。特に、切替ボタン１０８ｄは、表示部１０６の液晶表示装置に表示されるようにしてもよい。
【産業上の利用可能性】
【００４７】
本発明は、例えば、ガイダンス音声の出力機能を備え、ネットワークを利用した通信を行う通信端末装置に適用可能である。
【図面の簡単な説明】
【００４８】
【図１】本発明に係るインターネットファクシミリ装置１の構成例を示すブロック図である。
【図２】インターネットファクシミリ装置１における操作部１０５、表示部１０６、スピーカ１０７、ハンドセット１０８の様子を示す説明図である。
【図３】ハンドセット１０８の様子を示す説明図である。
【図４】ＣＰＵ１０１が行う、装置１本体のスピーカ１０７からのガイダンス音声の出力の制御を説明する状態遷移図である。
【図５】ＣＰＵ１０１が行う、ハンドセット１０８のスピーカ１０８ｂからのガイダンス音声の出力の制御を説明する状態遷移図である。
【符号の説明】
【００４９】
１        インターネットファクシミリ装置（通信端末装置）
１０１    ＣＰＵ
１０３    ＲＡＭ
１０５    操作部
１０６    表示部
１０６ａ  切替ボタン
１０７    スピーカ
１０８    ハンドセット
１０８ｂ  スピーカ
１０８ｃ  フック
１０８ｄ  切替ボタン
【図１】
2008219703.tif 000003
【図２】
2008219703.tif 000004
【図３】
2008219703.tif 000005
【図４】
2008219703.tif 000006
【図５】
2008219703.tif 000007